(57)【要約】【課題】アーカイブデータと可搬メディア間での管理装置を提供することが課題となっていた。また、共有部内から他の共有部内にコンテンツが複製される際に、コンテンツの不正利用を防止できるコンテンツ利用システムを提供することが課題となっていた。【解決手段】実施形態の映像コンテンツ生成装置は、第１の鍵ＩＤが付与された第１の映像コンテンツから第２の映像コンテンツを生成し、第２の映像コンテンツの記録先として第１または第２の映像記録部が指定される。第１の映像記録部が指定された場合は、第２の映像コンテンツに第１の鍵ＩＤを付与し、第１の映像コンテンツと共に第１の映像記録部に記録する。また、第２の映像記録部が指定された場合は、第２の映像コンテンツに第２の鍵ＩＤを付与し、第２の映像記録部に記録し、第１の鍵ＩＤが付与された第１の映像コンテンツを第１の映像記録部に記録する。【選択図】  図３
2011223321.tif 000002
【特許請求の範囲】
【請求項１】
コンテンツのコピープロテクションに係る第１の鍵ＩＤが付与された第１の映像コンテンツから第２の映像コンテンツを生成し、第１の映像記録部または第２の映像記録部に記録する映像コンテンツ生成装置において、
前記第１の映像コンテンツから前記第２の映像コンテンツを生成する第２の映像コンテンツ生成手段と、
前記生成された第２の映像コンテンツを記録するための記録先として少なくとも前記第１の映像記録部または前記第２の映像記録部のどちらかが指定される映像記録部指定手段を備え、
前記第１の映像記録部が指定された場合は、前記第２の映像コンテンツに前記第１の鍵ＩＤを付与し、前記第１の映像コンテンツと共に前記第１の映像記録部に記録し、
前記第２の映像記録部が指定された場合は、前記第２の映像コンテンツに前記コピープロテクションに係る第１の鍵ＩＤとは異なる第２の鍵ＩＤを付与し、前記第２の映像記録部に記録し、前記第１の鍵ＩＤが付与された前記第１の映像コンテンツを前記第１の映像記録部に記録することを特徴とする映像コンテンツ生成装置。
【請求項２】
前記第１の映像コンテンツには予め所定数のコピー可能回数が許可されており、前記映像記録部の指定に応じ、前記第１の映像コンテンツに許可されたコピー可能回数を前記第１の映像コンテンツと前記第２の映像コンテンツへ振り分け指定可能にするコピー回数振り分け手段を備えることを特徴とする請求項１に記載の映像コンテンツ生成装置。
【請求項３】
前記コピー可能回数の振り分け指定に応じて、前記第１の映像コンテンツと前記第２の映像コンテンツに許可されるコピー回数を付与するコピー回数付与手段を備えることを特徴とする請求項２に記載の映像コンテンツ生成装置。
【請求項４】
前記第２の映像コンテンツに前記コピープロテクションに係る第１の鍵ＩＤとは異なる第２の鍵ＩＤを付与することにより、前記第１の映像コンテンツとは独立して前記第２の映像コンテンツを無効化可能に構成することを特徴とする請求項１に記載の映像コンテンツ生成装置。
【請求項５】
前記第２の映像コンテンツの記録先が選択的に指定されることに応じ、
前記第１の映像コンテンツと前記第２の映像コンテンツのコピープロテクションに係る鍵ＩＤを実質的に同一の第１の鍵ＩＤとする第１の鍵ＩＤ管理手段と、
前記第１の映像コンテンツのコピープロテクションに係る鍵ＩＤを第１の鍵ＩＤ、前記第２の映像コンテンツのコピープロテクションに係る鍵ＩＤを第２の鍵ＩＤとする第２の鍵ＩＤ管理手段を備え、前記第１の映像コンテンツと前記第２の映像コンテンツを管理することを特徴とする請求項１に記載の映像コンテンツ生成装置。
【請求項６】
コンテンツのコピープロテクションに係る第１の鍵ＩＤが付与された第１の映像コンテンツから第２の映像コンテンツを生成し、第１の映像記録部または第２の映像記録部に記録する映像コンテンツ生成方法において、
前記第１の映像コンテンツから前記第２の映像コンテンツを生成するステップと、
前記生成された第２の映像コンテンツを記録するための記録先として少なくとも前記第１の映像記録部または前記第２の映像記録部のどちらかが指定されるステップを備え、
前記第１の映像記録部が指定された場合は、前記第２の映像コンテンツに前記第１の鍵ＩＤを付与し、前記第１の映像コンテンツと共に前記第１の映像記録部に記録し、
前記第２の映像記録部が指定された場合は、前記第２の映像コンテンツに前記コピープロテクションに係る第１の鍵ＩＤとは異なる第２の鍵ＩＤを付与し、前記第２の映像記録部に記録し、前記第１の鍵ＩＤが付与された前記第１の映像コンテンツを前記第１の映像記録部に記録することを特徴とする映像コンテンツ生成方法。
【請求項７】
前記第１の映像コンテンツには予め所定数のコピー可能回数が許可されており、前記映像記録部の指定に応じ、前記第１の映像コンテンツに予め許可されたコピー可能回数の前記第１の映像コンテンツと前記第２の映像コンテンツへの振り分け指定を可能にするステップを備えることを特徴とする請求項６に記載の映像コンテンツ生成方法。
【請求項８】
前記指定された振り分け指定に応じて、前記第１の映像コンテンツと前記第２の映像コンテンツに許可されたコピー回数を変更するステップを備えることを特徴とする請求項７に記載の映像コンテンツ生成方法。
【請求項９】
コンテンツのコピープロテクションに係る第１の鍵ＩＤが付与され記録された第１の映像コンテンツから第２の映像コンテンツを生成し、記録先の指定に基づいて第１の映像記録部または第２の映像記録部に記録するデジタル放送受信装置において、
デジタル放送を受信し第１の映像コンテンツを記録する第１の映像コンテンツ記録手段と、
前記記録された第１の映像コンテンツから前記第２の映像コンテンツを生成する第２の映像コンテンツ生成手段と、
前記生成された第２の映像コンテンツを記録するための記録先として少なくとも前記第１の映像記録部または前記第２の映像記録部のどちらかが指定される映像記録部指定手段を備え、
記録先として前記第１の映像記録部が指定された場合は、前記第２の映像コンテンツに前記第１の鍵ＩＤを付与し、前記第１の映像コンテンツと共に前記第１の映像記録部に記録し、
記録先として前記第２の映像記録部が指定された場合は、前記第２の映像コンテンツに前記コピープロテクションに係る第１の鍵ＩＤとは異なる第２の鍵ＩＤを付与し、前記第２の映像記録部に記録し、前記第１の鍵ＩＤが付与された前記第１の映像コンテンツを前記第１の映像記録部に記録することを特徴とするデジタル放送受信装置。
【発明の詳細な説明】
【技術分野】
【０００１】
本発明の実施形態は、記録された第１の映像コンテンツから第２の映像コンテンツを生成する映像コンテンツ生成装置に関する。
【背景技術】
【０００２】
現在、放送受信装置で受信した放送番組等の映像コンテンツを、蓄積ストレージ等の記録装置に録画することが行われている。
また、一度録画された録画コンテンツ（第１の映像コンテンツ）を加工した派生コンテンツ（第２の映像コンテンツ）を生成し、再記録することが行われている。
派生コンテンツ（第２の映像コンテンツ）の一例として、録画コンテンツに超解像処理を施して高画質化した映像コンテンツや、2D映像の録画コンテンツを3D化したストリーム等を生成するものがある。これら録画コンテンツから生成された派生コンテンツを、映像記録装置に記録することが可能である。
【０００３】
しかし、録画コンテンツ（第１の映像コンテンツ）から新たに生成される第２の映像コンテンツ（派生コンテンツ）は、コンテンツのコピープロテクションに係るコピー制御情報等が、適切に管理される必要がある。
【先行技術文献】
【特許文献】
【０００４】
【特許文献１】特開2003-256253号公報
【特許文献２】特開2008-186330号公報
【発明の概要】
【発明が解決しようとする課題】
【０００５】
アーカイブデータと可搬メディア間での管理装置を提供することが課題となっていた。また、共有部内から他の共有部内にコンテンツが複製される際に、コンテンツの不正利用を防止できるコンテンツ利用システムを提供することが課題となっていた。
【課題を解決するための手段】
【０００６】
実施形態の映像コンテンツ生成装置は、コンテンツのコピープロテクションに係る第１の鍵ＩＤが付与された第１の映像コンテンツから第２の映像コンテンツを生成し、第１の映像記録部または第２の映像記録部に記録する。
【０００７】
実施形態の映像コンテンツ生成装置は、前記第１の映像コンテンツから前記第２の映像コンテンツを生成する第２の映像コンテンツ生成手段と、前記生成された第２の映像コンテンツを記録するための記録先として少なくとも前記第１の映像記録部または前記第２の映像記録部のどちらかが指定される映像記録部指定手段を備える。
【０００８】
そして、前記第１の映像記録部が指定された場合は、前記第２の映像コンテンツに前記第１の鍵ＩＤを付与し、前記第１の映像コンテンツと共に前記第１の映像記録部に記録する。
【０００９】
また、前記第２の映像記録部が指定された場合は、前記第２の映像コンテンツに前記コピープロテクションに係る第１の鍵ＩＤとは異なる第２の鍵ＩＤを付与し、前記第２の映像記録部に記録し、前記第１の鍵ＩＤが付与された前記第１の映像コンテンツを前記第１の映像記録部に記録するように構成される。
【図面の簡単な説明】
【００１０】
【図１】実施形態に係わる映像コンテンツ生成装置を示すブロック図。
【図２】第２の映像コンテンツに第１の鍵ＩＤを付与し、第１の映像コンテンツと共に第１の映像記録部に記録する、実施形態に係わる映像コンテンツ生成装置を示す図。
【図３】第２の映像コンテンツにコピープロテクションに係る第１の鍵ＩＤとは異なる第２の鍵ＩＤを付与し、第２の映像記録部に記録し、第１の鍵ＩＤが付与された第１の映像コンテンツを第１の映像記録部に記録する、実施形態に係わる映像コンテンツ生成装置を示す図。
【図４】生成された第２の映像コンテンツの記録先として第１の映像記録部または前記第２の映像記録部が指定される、また、第１の映像コンテンツに許可されたコピー可能回数を第１の映像コンテンツと第２の映像コンテンツへ振り分け指定可能にする、映像コンテンツ生成装置を示す図。
【図５】実施形態に係わる映像コンテンツ生成装置の動作を示すフォローチャート。
【発明を実施するための形態】
【００１１】
以下、図面を参照し、この発明の実施形態を説明する。
図１は、実施形態に係わる映像コンテンツ生成装置を示すブロック図である。
符号１は映像表示装置（デジタル放送受信装置）、符号２はアンテナ、符号３はチューナ、符号４は信号処理部、符号５は映像処理部、符号６は音声処理部、符号７は表示装置、符号８は画面、符号９はスピーカである。
【００１２】
符号１０はバス、符号１１は制御部、符号１２はＭＰＵ、符号１３はＲＡＭ、符号１４はＲＯＭ、符号１５はフラッシュメモリ、符号１６ａは記憶部、符号１６ｂは設定値保持部である。
【００１３】
符号１７は内部記録装置である。例えば、内蔵ＨＤＤ（ハードディスク装置）や内蔵ＳＳＤ（Solid State Disk：  半導体記憶素子であるフラッシュメモリを使用した記憶装置）等で構成される。
【００１４】
符号１８は外部インターフェース、符号１９は外部インターフェース１８を介して外部に接続される外部記憶装置である。この外部記憶装置１８も上記ＨＤＤやＳＳＤ等で構成される。
【００１５】
符号２０は操作受信部、符号２１は操作機器、符号２１は送受信部、符号２２は送受信部、符号２３は消費電力比較部、符号２４はＧＵＩ制御部、符号２５は放送局、符号２６はネットワーク、符号２７はサーバである。
【００１６】
図２は、第２の映像コンテンツに第１の鍵ＩＤを付与し、第１の映像コンテンツと共に第１の映像記録部に記録する、実施形態に係わる映像コンテンツ生成装置１を示す図である。
【００１７】
この実施形態は、コンテンツのコピープロテクションに係る第１の鍵ＩＤが付与された第１の映像コンテンツから第２の映像コンテンツを生成し、第１の映像記録部または第２の映像記録部に記録する映像コンテンツ生成装置１を説明するものである。
【００１８】
すなわち、映像コンテンツ生成装置１は、例えばＨＤＤやＳＳＤ等を構成する第１の映像記録部（ここでは内部記録装置１７）を備えている。そして、第１の映像記録部（蓄積ストレージ１）を用い、放送波の受信と録画、派生コンテンツの作成と保存を制御する。
【００１９】
具体的には、第１の映像コンテンツから第２の映像コンテンツを生成する第２の映像コンテンツ生成手段を備えている。
また、後述するように、生成された第２の映像コンテンツを記録するための記録先として少なくとも第１の映像記録部または第２の映像記録部（蓄積ストレージ２）のどちらかが指定される映像記録部指定手段を備えている。
【００２０】
第２の映像記録部は、ここでは、外部記録装置１１である。ただし、説明の都合上、第２の映像記録部を外部記録装置１１としたが、必ずしも外部に設けられる必要はなく、上記第１の映像記録部と同様に、映像コンテンツ生成装置１内部に設けられても良い。
【００２１】
そして、図示するように、第２の映像コンテンツの記録先として第１の映像記録部が指定された場合は、第２の映像コンテンツにコピープロテクションに係る第１の鍵ＩＤを付与し、第１の映像コンテンツと共に第１の映像記録部（蓄積ストレージ１）に記録する。
【００２２】
図３は、第２の映像コンテンツにコピープロテクションに係る第１の鍵ＩＤとは異なる第２の鍵ＩＤを付与し、第２の映像記録部に記録し、第１の鍵ＩＤが付与された第１の映像コンテンツを第１の映像記録部に記録する、実施形態に係わる映像コンテンツ生成装置を示す図である。
【００２３】
映像コンテンツ生成装置１は、第２の映像コンテンツの記録先として第２の映像記録部が指定された場合は、第２の映像コンテンツにコピープロテクションに係る第１の鍵ＩＤとは異なる第２の鍵ＩＤを付与し、第２の映像記録部（蓄積ストレージ２）に記録する。また、第１の鍵ＩＤが付与された第１の映像コンテンツを第１の映像記録部（蓄積ストレージ１）に記録する。
【００２４】
すなわち、第１の映像コンテンツには第１の鍵ＩＤを付与し、第１の映像記録部（蓄積ストレージ１）に記録する。また、第２の映像コンテンツには第１の鍵ＩＤとは異なる第２の鍵ＩＤを付与し、第２の映像記録部に記録する。そして、第１の映像記録部１７と第２の映像記録部１９のそれぞれで、独立してコピー制御情報を管理可能である。
【００２５】
図４は、生成された第２の映像コンテンツの記録先として第１の映像記録部または第２の映像記録部が指定される映像コンテンツ生成装置を示す図である。
また、第１の映像コンテンツに許可されたコピー可能回数を第１の映像コンテンツと第２の映像コンテンツへ振り分け指定可能にする映像コンテンツ生成装置を示す図である。
【００２６】
この表示は、例えば映像コンテンツ生成装置１に構成される画面８に表示される。
ユーザは、この表示を閲覧しながら、図示しないリモートコントローラーやカーソル等を用いて、記録装置の指定を行う。
図４上欄に示す１は、ユーザに対して派生コンテンツ（第２の映像コンテンツ）の記録先の指定を促す表示である。内部記録装置（第１の映像記録部）または外部記録装置（第２の映像記録部）のどちらかが、ユーザによって指定され、この情報は映像コンテンツ生成装置１内部に記録される。ここでは、外部記録装置（第２の映像記録部）が指定されている。
【００２７】
図４下欄に示す２は、ユーザに対してコピー回数振り分けの指定を促す表示である。第１のコンテンツに許可されていたコピー回数（ここでは１０回）を、例えば第１のコンテンツのコピー許可５回、第２のコンテンツのコピー許可５回に振り分け指定されている。ここでも、ユーザは、この表示を閲覧しながら、図示しないリモートコントローラーやカーソル等を用いて、上記振り分けの指定を行う。
【００２８】
図５は、実施形態に係わる映像コンテンツ生成装置１の動作を示すフォローチャートである。
符号100は、ここでの開始ステップである。続いて符合101を付したステップへ進む。
符号101は、映像コンテンツ生成装置１が派生コンテンツ（第２のコンテンツ）の作成指示を受けるステップである。続いて符合102を付したステップへ進む。
符号102は、映像コンテンツ生成装置１が、派生コンテンツ（第２のコンテンツ）の保存先を指定されるステップである。派生コンテンツ（第２のコンテンツ）の保存先指定は、例えば上記のように行われる。続いて符合103を付したステップへ進む。
【００２９】
符合103は、第２のコンテンツの保存先指定が第１の映像記録部であるか、第２の映像記録部であるかを判別するステップである。
第２のコンテンツの保存先として第１の映像記録部が指定されたと判別された場合は、符号104を付したステップに進む（Ｙｅｓ）。第２のコンテンツの保存先として第２の映像記録部が指定されたと判別された場合は、符号10６を付したステップに進む（Ｎｏ）。
【００３０】
符号１０４は、第２の映像コンテンツ（派生コンテンツ）に、第１の映像コンテンツに付与されていたと同じ、第１の鍵ＩＤを設定するステップである。続いて、符合１０５を付したステップへ進む。
【００３１】
符号１０５は第２の映像コンテンツ（派生コンテンツ）の情報をメタ情報（メタデータ）に追加するステップである。メタ情報とは、情報に付加されるそれ自身に関する情報であり、ここでは、第２の映像コンテンツ（派生コンテンツ）に付与される第１の鍵ＩＤまたは第２の鍵ＩＤである。続いて、符合１１０を付したステップへ進む。
【００３２】
符号１１０は第２の映像コンテンツ（派生コンテンツ）を作成するステップである。ここでは、上記設定された第１の鍵ＩＤを第２の映像コンテンツに付与し、第１の映像コンテンツと共に第１の映像記録部に記録する。続いて、符合１１１を付したステップへ進む。
【００３３】
第２のコンテンツの保存先として第１の映像記録部が指定されたと判別されない場合（ここでは、第２の映像記録部が指定された場合）は、符号10６を付したステップに進む（Ｎｏ）。
【００３４】
符号１０６は、派生コンテンツに新規に管理ＩＤを発行するステップである。すなわち、コピープロテクションに係る第１の鍵ＩＤとは異なる第２の鍵ＩＤを発行するステップである。続いて、符合１０７を付したステップへ進む。
【００３５】
符号１０７は、コピー回数制限が存在するかを判別するステップである。コピー回数制限が存在すると判別された場合は符号１０８を付したステップへ進む（Ｙｅｓ）。コピー回数制限が存在すると判別されない場合は符号１０９を付したステップへ進む（Ｎｏ）。
【００３６】
符号１０８は、各コンテンツにコピー回数を振り分けるステップである。ここでは、映像記録部の指定に応じ、第１の映像コンテンツに予め許可されていたコピー可能回数を、第１の映像コンテンツと第２の映像コンテンツへ振り分け指定するステップである。続いて、符合１０９を付したステップへ進む。
【００３７】
符号１０９は、コンテンツのメタ情報を保存先に作成するステップである。続いて、符合１１０を付したステップへ進む。
符号１１０は第２の映像コンテンツ（派生コンテンツ）を作成するステップである。ここでは、第２の映像コンテンツにコピープロテクションに係る第１の鍵ＩＤとは異なる第２の鍵ＩＤを付与し、第２の映像記録部に記録するステップである。続いて、符合１１１を付したステップへ進む。
【００３８】
符号１１１は終了ステップであり、ここでの処理は終了する。
また、この実施の形態は、第２の映像コンテンツにコピープロテクションに係る第１の鍵ＩＤとは異なる第２の鍵ＩＤを付与することにより、第１の映像コンテンツとは独立して第２の映像コンテンツを無効化可能に構成することが可能である。
【００３９】
すなわち、この実施の形態は、コンテンツのコピープロテクションに係る第１の鍵ＩＤが付与された第１の映像コンテンツから第２の映像コンテンツを生成し、第１の映像記録部または第２の映像記録部に記録する映像コンテンツ生成装置に係る。
【００４０】
この映像コンテンツ生成装置は、第１の映像コンテンツから第２の映像コンテンツを生成する第２の映像コンテンツ生成手段を備えている。
また、生成された第２の映像コンテンツを記録するための記録先として少なくとも第１の映像記録部または第２の映像記録部のどちらかが指定される映像記録部指定手段を備えている。
【００４１】
そして、第１の映像記録部が指定された場合は、第２の映像コンテンツに第１の鍵ＩＤを付与し、第１の映像コンテンツと共に第１の映像記録部に記録する。
第２の映像記録部が指定された場合は、第２の映像コンテンツにコピープロテクションに係る第１の鍵ＩＤとは異なる第２の鍵ＩＤを付与し、第２の映像記録部に記録する。また、第１の鍵ＩＤが付与された第１の映像コンテンツを第１の映像記録部に記録する。
【００４２】
また、この映像コンテンツ生成装置は、第１の映像コンテンツには予め所定数のコピー可能回数が許可されており、映像記録部の指定に応じ、第１の映像コンテンツに許可されたコピー可能回数を第１の映像コンテンツと第２の映像コンテンツへ振り分け指定可能にするコピー回数振り分け手段を備えている。
【００４３】
また、この映像コンテンツ生成装置は、コピー可能回数の振り分け指定に応じて、第１の映像コンテンツと第２の映像コンテンツに許可されるコピー回数を付与するコピー回数付与手段を備えている。
【００４４】
また、この映像コンテンツ生成装置は、第２の映像コンテンツにコピープロテクションに係る第１の鍵ＩＤとは異なる第２の鍵ＩＤを付与することにより、第１の映像コンテンツとは独立して第２の映像コンテンツを無効化可能に構成されている。
【００４５】
上記のように構成することによって、この実施の形態においては、派生コンテンツ（第２の映像コンテンツ）の保存先に、第１の映像コンテンツと同一のストレージ（第１の映像記憶部）を指定するか、第１の映像コンテンツとは別のストレージ（第２の映像記憶部）を指定するかによって、コピープロテクションに係る鍵ＩＤの管理方法が自動的に切り換わる。
【００４６】
これによって、録画コンテンツ（第１の映像コンテンツ）と派生コンテンツ（第２の映像コンテンツ）のそれぞれに最適なコンテンツの管理が可能となり、ユーザの利便性を向上させることが可能となる。
【００４７】
（派生コンテンツをオリジナルコンテンツと同一のストレージに保存する場合）
例えば、派生コンテンツ（第２の映像コンテンツ）をオリジナルコンテンツ（第１の映像コンテンツ）と同一のストレージに保存する場合、派生コンテンツはオリジナルコンテンツと管理ID（例えばコピープロテクションに係る鍵ＩＤ等）やメタ情報を共有する。
【００４８】
この際、派生コンテンツ（第２の映像コンテンツ）作成後に追加・変更となったメタ情報、例えばコンテンツのチャプタ編集情報等を、オリジナルコンテンツと派生コンテンツで共有することが可能となる。
【００４９】
また、上記のようにオリジナルコンテンツと派生コンテンツでコピー回数を共有することで、派生コンテンツ（第２の映像コンテンツ）作成時にそれぞれに振り分けるコピー回数を、必ずしも指定する必要がなく、ユーザは合計のコピー回数だけを意識すれば良いことになり、ユーザの利便性が向上する。
【００５０】
また、例えば、派生コンテンツ（第２の映像コンテンツ）が不要になった際に、オリジナルコンテンツのコピー回数やメタ情報を損なうことなく、元の状態（派生コンテンツを作成する前の状態）に戻すことが可能となり、ユーザの利便性が向上する。
【００５１】
（派生コンテンツをオリジナルコンテンツとは別のストレージに保存する場合）
この実施の形態においては、派生コンテンツ（第２の映像コンテンツ）をオリジナルコンテンツ（第１の映像コンテンツ）とは異なるストレージに保存する場合に、派生コンテンツに管理IDとコピー制御情報を新たに発行する。このため、例えば、派生コンテンツまたはオリジナルコンテンツが記録されたストレージの故障等で、一方のコンテンツが失われたとしても、もう一方のコンテンツには影響を与えずにすむという状況にすることが可能である。
【００５２】
また、複数のストレージを構成し、それぞれストレージ単位で、著作権保護のための暗号化・鍵管理を行っている場合に、一方のストレージを不正にコピーされたというような状況においても、もう一方のストレージに保存したコンテンツには影響を与えずに、不正コピーされたコンテンツを無効化することが可能となる。
【００５３】
また、派生コンテンツ（第２の映像コンテンツ）をオリジナルコンテンツ（第１の映像コンテンツ）とは異なるストレージに保存する際に、オリジナルコンテンツと派生コンテンツに、ユーザの指定どおりにコピー回数を振り分けることで、以降生じるであろう同様の作業を低減することが可能となる。
【００５４】
また、派生コンテンツ（第２の映像コンテンツ）の保存先として、オリジナルコンテンツ（第１の映像コンテンツ）とは異なるストレージを選択可能とすることで、例えば、オリジナルコンテンツを蓄積しているストレージの容量が逼迫しているというような場合であっても、派生コンテンツ（第２の映像コンテンツ）の作成処理が実行可能となる。また、ユーザの意図によってストレージの使い分けをすることが可能となる。
【００５５】
上記のように、派生コンテンツ（第２の映像コンテンツ）の保存先に、オリジナルコンテンツ（第１の映像コンテンツ）と同一のストレージ（第１の映像記憶部）を指定するか、第１の映像コンテンツとは別のストレージ（第２の映像記憶部）を指定するかによって、コピープロテクションに係る鍵ＩＤの管理方法が自動的に切り換わる。これによって、派生コンテンツおよびオリジナルコンテンツのコンテンツ管理をより向上させることが可能になる。
【００５６】
また、オリジナルコンテンツ（第１の映像コンテンツ）から新たに生成される派生コンテンツ（第２の映像コンテンツ）は、コンテンツのコピープロテクションに係るコピー制御情報等が、適切に管理され、コンテンツ管理をより向上させることが可能になる。
【００５７】
尚、上記実施形態は、実施段階では、その趣旨を逸脱しない範囲で、構成要素を種々変形して具体化することが可能である。
【符号の説明】
【００５８】
１…映像表示装置（デジタル放送受信装置）
２…アンテナ
３…チューナ
４…信号処理部
５…映像処理部
６…音声処理部
７…表示装置
８…画面
９…スピーカ
１０…バス
１１…制御部
１２…ＭＰＵ
１３…ＲＡＭ
１４…ＲＯＭ
１５…フラッシュメモリ
１６ａ…記憶部
１６ｂ…設定値保持部
１７…内部記録装置
１８…外部インターフェース
１９…外部記憶装置
２０…操作受信部
２１…操作機器
２１…送受信部
２２…送受信部
２３…消費電力比較部
２４…ＧＵＩ制御部
２５…放送局
２６…ネットワーク
２７…サーバ
【図１】
2011223321.tif 000003
【図２】
2011223321.tif 000004
【図３】
2011223321.tif 000005
【図４】
2011223321.tif 000006
【図５】
2011223321.tif 000007
【手続補正書】
【提出日】平成22年11月30日(2010.11.30)
【手続補正１】
【補正対象書類名】明細書
【補正対象項目名】００３１
【補正方法】変更
【補正の内容】
【００３１】
符号１０５は第２の映像コンテンツ（派生コンテンツ）の情報をメタ情報（メタデータ）に追加するステップである。メタ情報とは、情報に付加されるそれ自身に関する情報であり、このステップで追加される情報は、第２の映像コンテンツ（派生コンテンツ）が第１の映像コンテンツと同一の管理IDで管理されるコンテンツであることを示す情報である。
続いて、符合１１０を付したステップへ進む。